(57)【要約】      （修正有）【課題】上下方向に延びるサイド枠のチャネル状断面を、構造物における左右内側が開放された固定溝内に、開放側を一致させて嵌合し、互いの開放端側が対向した左右一対のチャネル状断面の溝部内にパネルの左右端部をそれぞれ挿入して固定するにあたり、チャネル状断面及び固定溝を高精度に形成する必要性が低く、構造物からのサイド枠の外れも防止可能なパネルフェンスを提供する。【解決手段】サイド枠３のチャネル状断面を、前後幅が拡大及び縮小する側に弾性変形可能とし、チャネル状断面を、前後幅が縮小する側に弾性変形させた状態で、固定溝８に嵌合させる。【選択図】図３
0003184924.tif 000002
【実用新案登録請求の範囲】
【請求項１】
チャネル状断面を有して上下方向に延びる左右一対のサイド枠（３）と、該サイド枠（３）を固定する構造物（２）と、厚み方向が前後方向に向けられた状態で前記左右のサイド枠（３）間に設置されるパネル（４）とを備え、左右内側が開放されて互いの開放端が対向する左右一対の固定溝（８）を前記構造物（２）に形成し、左右のサイド枠（３）のチャネル状断面を、開放方向が固定溝（８）の開放方向を向くようにして、該固定溝（８）に嵌合させて固定し、パネル（４）の左右の端部を左右のサイド枠（３）のチャネル状断面の溝部（９）内にそれぞれ嵌合挿入することにより、該パネル（４）を、サイド枠（３）間に固定したパネルフェンスであって、前記サイド枠（３）のチャネル状断面を、前後幅が拡大及び縮小する側に弾性変形可能とし、該チャネル状断面を、該前後幅が縮小する側に弾性変形させた状態で、固定溝（８）内に嵌合させるパネルフェンス。
【請求項２】
チャネル状断面を、開放側に向かって次第に前後幅が拡大する形状に成形し、チャネル状断面の開放端側の前後幅を、固定溝（８）の溝幅よりも大きく設定した請求項１に記載のパネルフェンス。
【請求項３】
チャネル状断面の前後璧（１４，１６）の少なくとも一方側の開放側端部を、パネル（４）と接する側の面である内面側に折重ねることにより、係止部（１４ａ）を形成した請求項１又は２に記載のパネルフェンス。
【請求項４】
チャネル状断面の両前後璧（１４，１６）の各開放側端部を、それぞれ折返すことにより、折返し部（１４ａ，１６ａ）を形成した請求項１乃至３の何れかに記載のパネルフェンス。
【請求項５】
チャネル状断面の前後璧（１４，１６）の少なくとも一方を、他方側に曲げ形成して前後幅が縮小する縮小部（１８）とし、該縮小した前後幅を、パネル（４）の厚みに対応させてなる請求項１乃至４の何れかに記載のパネルフェンス。
【請求項６】
チャネル状断面における縮小部（１８）のパネル（４）側端部には、左右方向に延びる接当部（１９）を一体的に形成し、固定溝（８）に嵌合されたチャネル状断面の溝部（９）内にパネル（４）の端部を挿入させた際に、該接当部（１９）がパネル（４）に面状に接当する請求項５に記載のパネルフェンス。
【請求項７】
接当部（１９）を、縮小部（１８）から左右内側に延出させ、該接当部（１９）を、上記他方の前後璧（１４）よりも左右内側に位置させた請求項６に記載パネルフェンス。
【請求項８】
パネル（４）を上下方向に並べて設け、パネル（４）の上下の端部に、上下のパネル（４）同士を係脱可能に係合させる係合部（１１，１２）を設けた請求項１乃至７の何れかに記載のパネルフェンス。
【請求項９】
パネル（４）の上下方向中途部に左右方向の窪み（２１ａ）が形成されるように該パネルを屈曲形成させた請求項１乃至８の何れかに記載のパネルフェンス。
【考案の詳細な説明】
【技術分野】
【０００１】
この考案は、パネルフェンスに関する。
【背景技術】
【０００２】
チャネル状断面を有して上下方向に延びる左右一対のサイド枠と、該サイド枠を固定する構造物と、厚み方向が前後方向に向けられた状態で前記左右のサイド枠間に設置されるパネルとを備え、左右内側が開放されて互いの開放端が対向する左右一対の固定溝を前記構造物に形成し、左右のサイド枠のチャネル状断面を、開放側が左右内側を向くようにして、前記固定溝に嵌合させて固定し、パネルの左右の端部を左右のサイド枠のチャネル状断面の溝内にそれぞれ嵌合挿入することにより、該パネルを、サイド枠間に固定したパネルフェンスが公知になっている（例えば、特許文献１参照。）。
【先行技術文献】
【特許文献】
【０００３】
【特許文献１】実用新案登録第３１３０６２４号公報
【考案の概要】
【考案が解決しようとする課題】
【０００４】
上記文献のパネルフェンスは、サイド枠のチャネル状断面を構造物の固定溝に嵌合して固定し、このチャネル状断面の溝内にパネル端部を挿入して固定するため、パネルを確実に位置決め固定させることが可能になる。
しかし、サイド枠のチャネル状断面を、構造物の固定溝に嵌合させるためには、両者の形状やサイズを高精度で対応させる必要があり、製造コストが高くなることがある他、パネルを嵌め込む前の段階では、サイド枠が構造物から外れることがある。
【０００５】
本考案は、上下方向に延びるサイド枠のチャネル状断面を、構造物における左右内側が開放された固定溝内に、開放側を一致させて嵌合し、互いの開放端側が対向した左右一対のチャネル状断面の溝部内にパネルの左右端部をそれぞれ挿入して固定するにあたり、チャネル状断面及び固定溝を高精度に形成する必要性が低く、構造物からのサイド枠の外れも防止可能なパネルフェンスを提供することを課題としている。
【課題を解決するための手段】
【０００６】
上記課題を解決するため、第１に、チャネル状断面を有して上下方向に延びる左右一対のサイド枠３と、該サイド枠３を固定する構造物２と、厚み方向が前後方向に向けられた状態で前記左右のサイド枠３間に設置されるパネル４とを備え、左右内側が開放されて互いの開放端が対向する左右一対の固定溝８を前記構造物２に形成し、左右のサイド枠３のチャネル状断面を、開放方向が固定溝８の開放方向を向くようにして、該固定溝８に嵌合させて固定し、パネル４の左右の端部を左右のサイド枠３のチャネル状断面の溝部９内にそれぞれ嵌合挿入することにより、該パネル４を、サイド枠３間に固定したパネルフェンスであって、前記サイド枠３のチャネル状断面を、前後幅が拡大及び縮小する側に弾性変形可能とし、該チャネル状断面を、該前後幅が縮小する側に弾性変形させた状態で、固定溝８内に嵌合させることを特徴としている。
【０００７】
第２に、チャネル状断面を、開放側に向かって次第に前後幅が拡大する形状に成形し、チャネル状断面の開放端側の前後幅を、固定溝８の溝幅よりも大きく設定したことを特徴としている。
【０００８】
第３に、チャネル状断面の前後璧１４，１６の少なくとも一方側の開放側端部を、パネル４と接する側の面である内面側に折重ねることにより、係止部１４ａを形成したことを特徴としている。
【０００９】
第４に、チャネル状断面の両前後璧１４，１６の各開放側端部を、それぞれ折返すことにより、折返し部１４ａ，１６ａを形成したことを特徴としている。
【００１０】
第５に、チャネル状断面の前後璧１４，１６の少なくとも一方を、他方側に曲げ形成して前後幅が縮小する縮小部１８とし、該縮小した前後幅を、パネル４の厚みに対応させてなることを特徴としている。
【００１１】
第６に、チャネル状断面における縮小部１８のパネル４側端部には、左右方向に延びる接当部１９を一体的に形成し、固定溝８に嵌合されたチャネル状断面の溝部９内にパネル４の端部を挿入させた際に、該接当部１９がパネル４に面状に接当することを特徴としている。
【００１２】
第７に、接当部１９を、縮小部１８から左右内側に延出させ、該接当部１９を、上記他方の前後璧１４よりも左右内側に位置させたことを特徴としている。
【００１３】
第８に、パネル４を上下方向に並べて設け、パネル４の上下の端部に、上下のパネル４同士を係脱可能に係合させる係合部１１，１２を設けたことを特徴としている。
【００１４】
第９に、パネル４の上下方向中途部に左右方向の窪み２１ａが形成されるように該パネルを屈曲形成させたことを特徴としている。
【考案の効果】
【００１５】
サイド枠のチャネル状断面を、該前後幅が縮小する側に弾性変形させた状態で、固定溝内に嵌合させるため、チャネル状断面及び固定溝のサイズや形状を高精度に形成する必要性が低くなるとともに、サイド枠自体の弾性力によって、サイド枠が構造物に取付けられるため、組立時における構造物からのサイド枠の外れも効率的に防止される。
【図面の簡単な説明】
【００１６】
【図１】本発明のフェンスパネルの構成を示す斜視図である。
【図２】図１に示すフェンスパネルの要部斜視図である。
【図３】図１に示すフェンスパネルの要部平面図である。
【図４】図１に示すフェンスパネルの要部側面図である。
【考案を実施するための形態】
【００１７】
図１は、本発明のフェンスパネルの構成を示す斜視図であり、図２乃至図４は、図１に示すフェンスパネルの要部斜視図、要部平面図および要部側面図である。フェンスパネル１は、固設された構造物である左右に並列された複数の支柱２と、支柱２に固定されたサイド枠３と、左右で隣接するサイド枠３，３の間に架設された複数のパネル４と、下方が開放されたＵ字状又はコの字状断面を有して左右方向に延びる上端枠６と、上方が開放されたＵ字状又はコの字状断面を有して左右方向に延びる下端枠７とを備えている。
【００１８】
上記支柱２は、鉛直方向に延びるＨ形鋼であるため、該支柱２の左右各側部には、左右方向に開放されたコの字状又はＵ字状（図示する例では、コの字状）の平断面（チャネル状断面）を有する固定溝８が上下方向全体に亘り形成されている。該支柱２は、下部側の一部が地中に埋設されることにより固定され、左右で隣接する支柱２，２の固定溝８，８は、相互に平行な状態で開放端同士が向き合っている。
【００１９】
上記サイド枠３は、左右方向が開放されたコの字状又はＵ字状（図示する例では、コの字状）の平断面（チャネル状断面）を有して鉛直方向に延設されている。このチャネル状断面によって、サイド枠３には全長方向全体に亘り溝部９が形成される。
【００２０】
このサイド枠３は、自身の溝部９の開放方向を固定溝８の開放方向と一致させた状態で、該固定溝８内に嵌入固定される。このため、平行に対向する左右一対の固定溝９，９内に、それぞれサイド枠３を嵌合させると、この左右で隣接するサイド枠３，３の溝部９，９は、互いに平行な状態で開放端同士が対向した状態となる。
【００２１】
ちなみに、この溝部９，９の開放端同士が対向する左右一対のサイド枠３，３は、互いが左右対称な形状に成形され、以下の説明では、固定溝８及び溝部９が互いに対向する側を内側とし、非対向側を外側とする。
【００２２】
上記パネル４は、厚み方向が前後方向に向けられ且つ左右方向に延びる板状部材であり、パネル４の左右両端部が、左右のサイド枠３，３の溝部９，９内にそれぞれ嵌合挿入されることにより、該パネル４が、左右の支柱２，２間（左右のサイド枠３，３間）に位置決め固定される。このパネル４は、一対のサイド枠３，３間に、上下方向に積重ねて互いを連接させた状態で、複数設けられ、上下で隣接するパネル４，４の端部同士は、互いの係合部１１，１２によって係脱自在に凹凸係合されている。
【００２３】
上記上端枠６は、積上げられた複数のパネル４の内で最も高い位置にあるパネルである最上端パネル４Ａの上端側に嵌め込み固定される。具体的には、上端枠６の溝内に最上端パネル４Ａの上端部が嵌入固定される。
【００２４】
上記下端枠７は、積上げられた複数のパネル４の内で最も低い位置にあるパネルである最下端パネル４Ｂの下端側に嵌め込み固定される。具体的には、下端枠７の溝内に最下端パネル４Ｂの下端部が嵌入固定される。
【００２５】
以上のようにして、左右に隣接する支柱２，２の間に、サイド枠３，３を介して、上下に連接された複数のパネル４を架渡し、上下のパネル４，４同士を係合部１１，１２によって係合させることにより、積上げられた複数のパネル４が一体化され、最上端パネル４Ａ及び最下端パネル４Ｂに、それぞれ上端枠６及び下端枠７を嵌めこむことにより、パネルフェンス１が形成される。
【００２６】
なお、図示する例では、１つのパネルフェンス１が設置されているが、パネルフェンス１を、左右端部を共通化した状態で、複数左右方向に並列させてもよい。
【００２７】
次に、図２及び図３に基づき、サイド枠３の構成を詳述する。
【００２８】
サイド枠３は、平断面視で、左右外側に位置する前後の側壁１３と、該側壁１３の前端部から左右方向内側に延設された上下方向の前壁１４と、該側壁１３の後端部から左右方向内側に延設された上下方向の後壁１６とを一体的に有している。このサイド枠３は、弾性変形可能な金属材料（具体的にはアルミ材）によって構成され、溝部９の前後幅（溝幅）を拡大・縮小させる側に弾性変形させることが可能である。
【００２９】
なお、このサイド枠３は、断面形状が長さ方向全体に亘り同一である。このため、押出成形等によって、製造することも可能であるが、本例では、一枚の金属プレートを、順次曲げ加工することにより形成されている。
【００３０】
前後璧１４，１６の一方（図示する例では後壁１６）である屈曲壁は、他方（図示する例では前壁１４）であるフラット壁に比べて、左右内側に突出している。
【００３１】
フラット壁１４は、厚み方向が前後方向を向いた平坦な平板状に形成されている。
【００３２】
屈曲壁１６は、フラット壁１４に沿って形成され且つ側壁１３側に位置する基部１７と、該フラット部１４から連続してフラット壁１４側に屈曲又は湾曲形成（図示する例では屈曲形成）された縮小部１８と、該縮小部１８から連続して左右内側に屈曲又は湾曲形成（図示する例では屈曲形成）された接当部１９とを有している。この屈曲壁１６は、この基部１７、縮小部１８及び接当部１９によって、クランク状の平断面形状を有し、上記接当部１９分だけフラット壁１４よりも左右内側に突出している。
【００３３】
側壁１３は、前後縁側に傾斜面からなるコーナ部１３ａ，１３ｂが形成され、フラット壁１４寄りのコーナ部１３ａに対して、屈曲壁１６寄りのコーナ部１３ｂは、サイズを大きく且つ緩い傾斜になっている。
【００３４】
このサイド枠３は、上述した通り、溝幅（サイド枠３の前後幅）が拡大・縮小する側に弾性変形させることが可能であり、力を加えていない状態では、フラット壁１４と、屈曲壁１６の基部１７との間の距離が溝部９の開放側に向かって次第に幅広となるように成形され、基部１７とフラット壁１４の間の最小幅が、固定溝８の前後方向の溝幅Ｗ１と略同一に設定される。
【００３５】
両前後璧１４，１６の開放端寄り部分同士が離間・近接するように上記サイド枠３を弾性変形させることにより、該サイド枠６の溝幅が拡大・縮小され、このサイド枠３を、自身の前後幅が縮小するように弾性変形させた状態で、固定溝８内に嵌入させると、サイド枠３の弾性復帰作用によって、溝幅の拡大方向に弾性力が作用し、該サイド枠３が確実且つ高い強度で、固定溝８に嵌め込み固定される。
【００３６】
ちなみに、力を加えていない状態のサイド枠３の最大前後幅Ｗ２は、固定溝８の溝幅Ｗ１よりも広くなっているため、該サイド枠３は、溝幅が縮小するように弾性変形させないと、固定溝８に嵌め込むことができないようになっている。そして、サイド枠３が固定溝８に嵌合挿入された状態では、サイド枠３におけるフラット壁１４と、屈曲壁１６の基部１７及び接当部１９とが互いに平行になり、接当部１９とフラット壁１４との間の溝幅が、パネル４の前後厚と略同一か、或いは該前後厚よりも若干広い状態になる。
【００３７】
また、フラット壁１４及び屈曲壁１６の溝部９開放側である左右内側端部には、それぞれ折返されて重ねられることにより、折返し部１４ａ，１６ａが形成されている。一方の前後璧１４，１６（図示する例では、フラット壁１４）の折返し部１４ａは、パネル４が接する面である内面に折重ねられて段状の係止部を構成しているとともに、他方の前後璧１４，１６（図示する例では、屈曲壁１６）の折返し部１６ａは、パネル４が接する面と逆側の面である外面に折返されている。
【００３８】
このようにして、固定溝８内に嵌合固定されたサイド枠３の溝部９内に、パネル４の左右一方側の端部を嵌合挿入すると、パネル４の前後一方側の面（図示する例では前面）が、フラット壁１４の少なくとも係止部１４ａに接当するとともに、パネル４の前後他方側の面が屈曲壁１６の接当部１９に面状に接当し、これによってパネル４の該端部がサイド枠３の溝部８内に嵌め込み固定される。
【００３９】
この段状に突出した係止部１４ａによって、パネル４の端部がサイド枠３の溝部９内に効率的に固定され、該溝部９からのパネル４の抜出しも効率的に防止される。一方、係止部１４ａは、折返し部であるため、前後厚は最小減に抑制され、パネル４を可能な限りフラット壁１４側に寄せることが可能になる。
【００４０】
また、各前後璧１４，１６の折返し部１４ａ，１６ｂは、縁部分の強度を向上させ、縁側での引掛りを無くす作用もある。
【００４１】
なお、上述した通り、サイド枠３自身の弾性力によって、固定溝８にサイド枠３を嵌め込み固定するため、それのみで、十分な固定強度を得ることが可能であるが、固定溝８に嵌め込み固定したサイド枠３を、別途、ボルトやビス等の固定具によって支柱２に固定してもよい。
【００４２】
次に、図１乃至図４に基づき、パネル４の構成を詳述する。
【００４３】
パネル４は、側断面形状が全長に亘って同一となっているため、押出成形が可能であるが、本例では、アルミ製又は鉄製等の金属板を順次曲げ加工することにより成形されている。このパネル４は、厚み方向が前後方向を向いた本体２１に対して、上端部及び下端部が後方に屈曲され、本体２１の上下方向の中途部には、長さ方向である左右方向の全体に亘り、側断面楔状の前方が開放された凹部（窪み）２１ａが形成されている。
【００４４】
上記パネル４の上端部は、本体２１の上縁から後方に向かって上方傾斜した傾斜部２２と、傾斜部２２の上縁且つ後縁から後方に延出された平坦なフラット部２３と、フラット部２３から後方に連続した係合部である係合凹部１１とから構成されている。この係合凹部１１は、側断面視で、上方が開放され且つ下方に凹状に窪んだコの字状又はＵ字状（図示する例では、コの字状）に成形され、この係合凹部１１の後方側の開放端部は、凹面内に折重ねされて折返し部１１ａを構成している。
【００４５】
上記パネル４の下端部は、本体２１の下縁から後方に向かって下方傾斜した傾斜部２６と、傾斜部２６の下縁且つ後縁から後方に延出された平坦なフラット部２７と、フラット部２７から後方に連続した係合部である係合凸部１２とから構成されている。この係合凸部１２は、側断面視で、上方が開放され且つ下方に凸状に突出したコの字状又はＵ字状（図示する例では、コの字状）に成形され、この係合凸部１２の後方側の開放端部は、凹面内に折重ねされて折返し部１２ａを構成している。
【００４６】
上下のパネル４，４を係合させる際は、上側パネル４の下端部に形成された係合凸部１２を、下側パネル４の上端部に形成された係合凹部１１内に嵌合挿入して固定する。このようにして、上下の係合部１１，１２同士が係脱自在に係合された上下のパネル４，４は、フラット部２３，２７同士が上下で面状に接当するとともに、上下の傾斜部２２，２６が側断面視で、楔状をなして前方が開放された凹部（窪み）２９を形成する。この凹部２９は、上述した凹部２１ａと略同一の溝状をなす。これらの凹部２１ａ，２９は、パネル４の強度の高める機能を発揮する。
【００４７】
この係合部１１，１２同士の係合では、一方側の折返し部１１ａが、係止部として機能し、両者の係合強度を高めている。この係合させる作業は、パネル４の左右両端部が、サイド枠３の溝部９にそれぞれ嵌合挿入された状態でも行うことが可能である。ちなみに、パネル４の左右の各端部が、対応する溝部９に差込まれると、パネル４の左右動は規制される。
【００４８】
さらに、この係合部１１，１２同士の連接強度を高めるために、係合部１１，１２同士を図示しないビス若しくはボルト等によって連結固定してもよい。
【００４９】
また、図示する例では、上端枠６の前後の各開放端部と、下端枠７の前後の各開放端部とに、自身の前後外面側に折返された折返し部６ａ，７ａを形成し、端部強度を向上させている。
【００５０】
なお、サイド枠３や、パネル４は、自身の弾性変形可能であり、この弾性変形によって、互いの接当面間にもクリアランスを形成可能であり、このクリアランスを利用して、上下枠６及び下端枠７等の部材を配設している。
【符号の説明】
【００５１】
１  パネルフェンス
２  支柱（構造物）
３  サイド枠
４  パネル
８  固定溝
９  溝部
１１  係合凹部（係合部）
１２  係合凸部（係合部）
１４  フラット壁（前後璧，前壁）
１４ａ  係止部（折返し部）
１６  屈曲壁（前後璧，後壁）
１８  縮小部
１９  接当部
２１ａ  凹部（窪み）
【図１】
0003184924.tif 000003
【図２】
0003184924.tif 000004
【図３】
0003184924.tif 000005
【図４】
0003184924.tif 000006